(57)【要約】【課題】手動運搬車のバケット保持部とハンドルの連結部分の強度を高める手動運搬車の補強具およびそれを装着した手動運搬車の提供を目的とする。【解決手段】バケット２０と該バケット２０の両端部２１ａ，２１ａを保持するバケット保持フレーム３１，３１と該バケット保持フレーム３１，３１から上方に斜行して連設されるハンドル３２とを備えた手動運搬車１０の前記バケット保持フレーム３１，３１と前記ハンドル３２間に架設して固定される手動運搬車１０の補強具４０であって、長手方向一端には、前記バケット２０の両端部２１ａ，２１ａ及び前記バケット保持フレーム３１，３１に開設した取付孔３１ａに差し入れて固定するネジ部４５を備えると共に、長手方向他端には、前記ハンドル３２に外嵌して固定される係止部５０，７０を備えるように構成した。【選択図】    図３
0003114219.tif 000002
【実用新案登録請求の範囲】
【請求項１】
バケットと該バケットの両端部を保持するバケット保持フレームと該バケット保持フレームから上方に斜行して連設されるハンドルとを備えた手動運搬車の前記バケット保持フレームと前記ハンドル間に架設して固定される手動運搬車の補強具であって、
長手方向一端には、前記バケットの両端部及び前記バケット保持フレームに開設したボルト孔に差し入れて固定するネジ部を備えると共に、長手方向他端には、前記ハンドルに外嵌して固定される係止部を備えることを特徴とする手動運搬車の補強具。
【請求項２】
前記バケット保持フレームと前記ハンドル間に架設される補強具本体に、前記ネジ部を前記バケット保持フレームに垂直に差し入れるべく折曲部を形成したことを特徴とする請求項１に記載の手動運搬車の補強具。
【請求項３】
前記係止部は、前記ハンドルを挟持する挟持部と該挟持部から延設する基板部とを備える、一対の挟持部材から構成され、前記基板部の中央部に開設したボルト孔に差し入れたボルトにより補強具本体の一端を固定してなることを特徴とする請求項１又は２に記載の手動運搬車の補強具。
【請求項４】
前記係止部は、前記ハンドルを抱持する抱持部と該抱持部から延設する基板部とを備える抱持部材から構成され、前記基板部の中央部に開設したボルト孔に差し入れたボルトにより補強具本体の一端を固定してなることを特徴とする請求項１又は２に記載の手動運搬車の補強具。
【請求項５】
請求項１乃至４のいずれかに記載の手動運搬車の補強具を装着してなることを特徴とする手動運搬車。
【考案の詳細な説明】
【技術分野】
【０００１】
本考案は、本考案は積雪した雪等を運搬するための手動運搬具の補強具およびそれを装着した手動運搬車に関する。
【背景技術】
【０００２】
従来、路上等に積雪した雪を運搬して除雪するための手動運搬具、換言すればスノーカートは、略角形のバケットと、左右に離間するバケット保持部と、該バケット保持部の後端に連なり、上方に斜行して連設される平面視がコ字形のハンドルと、前記バケット保持部の後端間に結合された足踏杆とを備えて、前記バケット保持部に前記バケットがボルトにより固定されているものがある。
【０００３】
この種の手動運搬具としては、例えば、特開２００３−７４０３３公報に記載のものが公知である。この手動運搬具は、
前記バケット保持部と前記ハンドル及び前記足踏杆は剛性を確保するために金属パイプを曲げ加工して形成されており、前記バケットは軽量化のために合成樹脂により成形されている。前記バケットは、前縁部を除いた周縁に半円形の湾曲片が突設されており、該湾曲片が前記バケット保持部及び足踏杆に上方から嵌合され、湾曲片とバケット保持部及び足踏杆に開設された取付孔にボルトを挿入し、ナットで締結することにより前記バケットを前記フレームに取り付けている。
【０００４】
以上のように構成されたスノーカートは、バケットの周縁の一部裏面を地面又は雪面に接触させた状態で、ハンドルを前方に押し込むと同時に足踏杆を前方へ踏み込むことによりバケットの前縁から積雪中に押し込みつつハンドルを下方に押し下げ、積雪された雪をバケット内に入れる。この状態でハンドルを操作して地面又は雪面上を移動させることにより適宜の場所へ雪を運搬する。そして、この運搬された雪は、バケットの一縁を支点としてスノーカートの全体を前方へ回動させたり、バケットの左部又は右部を支点としてスノーカートの全体を側方へ回動させたりすることにより、バケット内の雪を捨て、除雪を行うのである。
【０００５】
【特許文献１】特開２００３−７４０３３公報  第１頁、図１および図２
【考案の開示】
【考案が解決しようとする課題】
【０００６】
しかしながら、前記手動運搬車を使用する場合において、例えば、バケットの前縁から積雪中に押し込む際、および積雪中に押し込んだバケットをハンドルを下方に押し下げてバッケト内に雪を入れる際には、大きな荷重がハンドル（特に前記バケット保持部と前記ハンドルの連結部分）に掛かる。そして、かかる連結部分が折曲する等の不都合を生じ得る。
【０００７】
本考案は、かかる事情に鑑みてなされたものであって、前記スノーカートを使用する際において、前記バケット保持部と前記ハンドルの連結部分の強度を高める手動運搬車の補強具およびそれを装着した手動運搬車を提供することを目的とする。
【０００８】
また、本考案の他の目的は、取り付けが容易で、しかも、既存の手動運搬車にも、特別な細工を施さなくとも容易に後付けできる手動運搬車の補強具を提供することを目的とする。
【課題を解決するための手段】
【０００９】
請求項１に記載の手動運搬車の補強具は、バケットと該バケットの両端部を保持するバケット保持フレームと該バケット保持フレームから上方に斜行して連設されるハンドルとを備えた手動運搬車の前記バケット保持フレームと前記ハンドル間に架設して固定される手動運搬車の補強具であって、長手方向一端には、前記バケットの両端部及び前記バケット保持フレームに開設したボルト孔に差し入れて固定するネジ部を備えると共に、長手方向他端には、前記ハンドルに外嵌して固定される係止部を備えることを特徴とする。
【００１０】
請求項１に記載の手動運搬車の補強具にあっては、前記バケット保持部と前記ハンドルの連結部分の強度を高めることができ、さらに、従来の手動運搬車のバケットをバケット保持部に固定しているボルト孔を利用して、前記補強具の長手方向一端を差し入れて固定できると共に、長手方向他端に設けた係止部によって、前記ハンドル外嵌して取り付けることができるので、溶接等を行って補強具を取り付ける必要がなく、また、新たにボルト孔等を開設することなく、前記補強具を手動運搬車に容易に取り付けることができる。
【００１１】
請求項２に記載の手動運搬車の補強具は、請求項１に記載の手動運搬車の補強具において、前記バケット保持フレームと前記ハンドル間に架設される補強具本体に、前記ネジ部を前記バケット保持フレームに垂直に差し入れるべく折曲部を形成したことを特徴とする。
【００１２】
請求項２に記載の手動運搬車の補強具にあっては、前記補強具本体に前記ネジ部を前記バケット保持フレームに垂直に差し入れるべく折曲部を設けたので、前記ネジ部の取付孔への挿入が容易に行うことができる。
【００１３】
請求項３に記載の手動運搬車の補強具は、請求項１又は２に記載の手動運搬車の補強具において、前記係止部は、前記ハンドルを挟持する挟持部と該挟持部から延設する基板部とを備える、一対の挟持部材から構成され、前記基板部の中央部に開設したボルト孔に差し入れたボルトにより補強具本体の一端を固定してなることを特徴とする。
【００１４】
請求項３に記載の手動運搬車の補強具にあっては、前記補強具の長手方向他端に設けた前記係止部を前記ハンドルに外嵌して固定することができるので、前記ハンドルにボルト孔等を設けることなく、容易に補強具を取り付けることができる。
【００１５】
請求項４に記載の手動運搬車の補強具は、請求項１又は２に記載の手動運搬車の補強具において、前記係止部は、前記ハンドルを抱持する抱持部と該抱持部から延設する基板部とを備える抱持部材から構成され、前記基板部の中央部に開設したボルト孔に差し入れたボルトにより補強具本体の一端を固定してなることを特徴とする。
【００１６】
請求項４に記載の手動運搬車の補強具にあっては、前記補強具の長手方向他端に設けた前記係止部を前記ハンドルに外嵌して固定することができるので、前記ハンドルにボルト孔等を設けることなく、容易に補強具を取り付けることができる。
【００１７】
請求項５に記載の手動運搬車は、請求項１乃至４のいずれかに記載の手動運搬車の補強具を装着してなることを特徴とする。
【００１８】
請求項５に記載の手動運搬車にあっては、従来の金型、フレーム等をそのまま利用しつつ、前記バケット保持部と前記ハンドルの連結部分の強度をより高めた手動運搬車を提供することができる。
【考案の効果】
【００１９】
請求項１に記載の考案によれば、バケットと該バケットの両端部を保持するバケット保持フレームと該バケット保持フレームから上方に斜行して連設されるハンドルとを備えた手動運搬車の前記バケット保持フレームと前記ハンドル間に架設して固定される手動運搬車の補強具であって、長手方向一端には、前記バケットの両端部及び前記バケット保持フレームに開設したボルト孔に差し入れて固定するネジ部を備えると共に、長手方向他端には、前記ハンドルに外嵌して固定される係止部を備えているので、前記バケット保持部と前記ハンドルの連結部分の強度を高めることができ、さらに、従来の手動運搬車のバケットをバケット保持部に固定しているボルト孔を利用して、前記補強具の長手方向一端を差し入れて固定できると共に、長手方向他端に設けた係止部によって、前記ハンドル外嵌して取り付けることができるので、溶接等を行って補強具を取り付ける必要がなく、また、新たにボルト孔等を開設することなく、前記補強具を手動運搬車に容易に取り付けることができる。
【００２０】
請求項２に記載の考案によれば、請求項１に記載の手動運搬車の補強具に加えて、前記バケット保持フレームと前記ハンドル間に架設される補強具本体に、前記ネジ部を前記バケット保持フレームに垂直に差し入れるべく折曲部を形成しているので、前記ネジ部の取付孔への挿入が容易に行うことができる。
【００２１】
請求項３に記載の考案によれば、請求項１又は２に記載の手動運搬車の補強具に加えて、前記係止部は、前記ハンドルを挟持する挟持部と該挟持部から延設する基板部とを備える、一対の挟持部材から構成され、前記基板部の中央部に開設したボルト孔に差し入れたボルトにより補強具本体の一端を固定しているので、前記補強具の長手方向他端に設けた前記係止部を前記ハンドルに外嵌して固定することができ、前記ハンドルにボルト孔等を設けることなく、容易に補強具を取り付けることができる。
【００２２】
請求項４に記載の考案によれば、請求項１又は２に記載の手動運搬車の補強具に加えて、前記係止部は、前記ハンドルを挟持する挟持部と該挟持部から延設する基板部とを備える、一対の挟持部材から構成され、前記基板部の中央部に開設したボルト孔に差し入れたボルトにより補強具本体の一端を固定しているので、前記補強具の長手方向他端に設けた前記係止部を前記ハンドルに外嵌して固定することができ、前記ハンドルにボルト孔等を設けることなく、容易に補強具を取り付けることができる。
【００２３】
請求項５に記載の考案によれば、請求項１乃至４のいずれかに記載の手動運搬車の補強具を装着しているので、従来の金型、フレーム等をそのまま利用しつつ、前記バケット保持部と前記ハンドルの連結部分の強度をより高めた手動運搬車を提供することができる。
【考案を実施するための最良の形態】
【００２４】
以下、本考案をその実施の形態を示す図面に基づいて詳述する。
【００２５】
図１は本考案に係る手動運搬具の正面視斜視図、図２は側面視斜視図、図３は分解斜視図である。
【００２６】
図１乃至図３において、１０は本考案に係る手動運搬具であり、２０は積雪等を掬い取り運搬するバケットであり、３０は前記バケット２０を支持するフレームであり、４０は前記フレーム３０の弧状連結部３５を跨いで架設される補強具である。
【００２７】
前記バケット２０は軽量化を図るため合成樹脂によって成型されており、平面視において略角形状をなすと共に側面視において略三角形状をなすように成型されたバケット本体２１と、該バケット本体２１の前端部に係合する別体のバケット前端部２２とを、半円筒状の接続部材２３で、上部からビス２４によって、後述するバケット保持部の先端に固定して構成されている。そして、前記バケット本体２１の両端部上縁には、半円形の湾曲部２１ａが一体的に突設成型されており、該湾曲部２１ａの頂部後方には取付孔２１ｃが開設されている。
【００２８】
前記フレーム３０は、左右方向に離間して向き合う金属製パイプ材からなるバケット保持部３１，３１と、該バケット保持部３１，３１の後端から弧状連結部３５を経て斜め上方に連接させる立設部３２と該立設部３２の上部を連結する連結杆３３とからなる平面視コ字形のハンドル部及び前記バケット保持部３１，３１の後端間に結合された足踏杆３４とから構成されており、前記バケット保持部３１，３１の後方部には、前記バケット２０の取付孔２１ｃと符合するように取付孔３１ａが開設されている。
【００２９】
そして、前記バケット保持部３１，３１の先端部分を、前記バケット２０の湾曲部２１ａの前端に連続して下向き半円状に成型されたフレーム挿入部２１ｂおよび前記バケット前端部２２両端に開口するフレーム嵌合部（図示せず）に嵌挿して、上部から前記接続部材２３を宛い前記ビス２４によって前記フレーム２０に固定すると共に、前記バケット２０の取付孔２１ｃおよび前記フレーム３０の取付孔３１ａを符合させて、後述する補強具４０の一端を挿入してナットＮ１によって締結固定しているのである。
【００３０】
図４は本考案に係る手動運搬具の補強具の側面図である。図５は補強具の長手方向一端部の取付状態を示す一部断面図であり、（ａ）は左側の取付状態、（ｂ）は右側の取付状態を示している。図６は補強具の係止部の取付状態を示す図であり、（ａ）は要部側面図、（ｂ）は一部断面図である。
【００３１】
前記補強具４０は、ステンレス製の棒状部材から形成されており、図４に詳細に示すように、前記バケット保持部３１，３１と前記立設部３２の長手方向における中央部より若干下方とに亘って架設される補強具本体４１の長手方向一端部には段部４３を設けて、先端にネジ部４５を設けた小径の差入部４４を形成すると共に、長手方向他端部には板状部４６を形成して取付孔４６ａを開設し、後述する係止部５０をボルトＢとナットＮにより締結固定している。
【００３２】
前記補強具本体４１の長手方向一端部は、図５に示すように、前記バケット本体２１の両端部上縁に設けた湾曲部２１ａの下方から、前記バケット保持部３１を宛い、夫々の取付孔２１ｃ、３１ａを符合させて、ワッシャＷ１と湾曲させたワッシャＷ２とを間挿させたうえで前記差入部４４を挿入して、前記ネジ部４５にナットＮ１を螺入して固定している。そして、前記補強具本体４１の長手方向一端側には、前記差入部４４が、前記取付孔２１ｃ，３１ａに垂直に挿入できるように、折曲部４２を設けている。
【００３３】
一方、前記係止部５０は、一対の挟持部材５１，５１から構成されており、該挟持部材５１は、略長方形状の金属板の中央部を略半円状に膨出させた挟持部５１ａと、該挟持部５１ａの両端に連続する基板部５１ｂと、該基板部５１ｂの略中央部に開設したボルト孔５１ｃとで形成されている。
【００３４】
そして、図６に示すように、一対の前記挟持部材５１，５１で前記立設部３２を挟持して、一方の前記基板５１ｂ，５１ｂ間には硬質ゴム製の円筒状のスペーサ５２を間挿して前記取付孔５１ｃ，５１ｃにボルトＢを挿入してナットＮ２で締結固定し、他方の前記基板５１ｂ，５１ｂ間には前記補強具４０の板状部４６を間挿してボルトＢとナットＮ２により締結固定するのである。なお、前記スペーサ５２を間挿すると、前記係止部５０を前記立設部３２に取り付ける際に、過度の締め付けにより前記立設部３２が変形等する不都合を防止できるが、特に設けなくてもよい。
【００３５】
図７は、他の係止部の取付状態を示す図であり、（ａ）は要部側面図、（ｂ）は一部断面図である。
【００３６】
図７において、７０は他の係止部であり、該係止部７０は、１個の抱持部材７１から構成されている。該抱持部材７１は、略長方形状の金属板の中央部に、前記立設部３２を抱持できるように円形に湾曲させた抱持部７１ａを形成し、該抱持部７１ａの両端を平行状に延設して基板７１ｂ，７１ｂを形成しており、該基板７１ｂの略中央部には取付孔７１ｃを開設している。そして、前記抱持部７１ａに前記立設部３２を抱持させて、前記基板７１ｂ，７１ｂ間に補強具本体４１の板上部４６を間挿させて、ボルトＢとナットＮ２とによって締結固定しているのである。
【００３７】
以上のように形成された補強具４０は、上述のように、当初から手動運搬車１０に取り付けた状態で製造販売してもよいが、すでに販売等されている従来の手動運搬車に、後発的に取り付けることも可能である。かかる場合は、従来の手動運搬車のバケットをバケット保持部に固定しているボルト孔を利用して、前記補強具４０の長手方向一端に設けた差入部４４を差し入れて固定すると共に、長手方向他端に設けた係止部５０，７０によって、前記立設部３２に外嵌して取り付けることができるので、溶接等を行って固定する必要がなく、また、新たにボルト孔等を開設することなく、前記補強具４０を容易に取り付けることができる。また、このことは、当初から手動運搬車１０に取り付けた状態で製造する場合にも妥当し、従来の金型、フレーム等をそのまま利用しつつ、より強度の高い手動運搬車１０を提供することができることとなる。
【図面の簡単な説明】
【００３８】
【図１】本考案に係る手動運搬具の正面視斜視図である。
【図２】本考案に係る手動運搬具の側面視斜視図である。
【図３】本考案に係る手動運搬具の分解斜視図である。
【図４】本考案に係る手動運搬具の補強具の側面図である。
【図５】補強具の長手方向一端部の取付状態を示す一部断面図であり、（ａ）は左側の取付状態図であり、（ｂ）は右側の取付状態図である。
【図６】補強具の係止部の取付状態を示す図であり、（ａ）は要部側面図、（ｂ）は一部断面図である。
【図７】他の係止部の取付状態を示す図であり、（ａ）は要部側面図、（ｂ）は一部断面図である。
【符号の説明】
【００３９】
１０    手動運搬具
２０    バケット
２１    バケット本体
２１ａ  湾曲部
２１ｂ  フレーム挿入部
２１ｃ  取付孔
２２    バケット前端部
２３    接続部材
２４    ビス
３０    フレーム
３１    バケット保持部
３１ａ  取付孔
３２    立設部
３３    連結杆
３４    足踏杆
３５    弧状連結部
４０    補強具
４１    補強具本体
４２    折曲部
４３    段部
４４    差入部
４５    ネジ部
４６    板状部
４６ａ  取付孔
５０    係止部
５１    挟持部材
５１ａ  挟持部
５１ｂ  基板
５１ｃ  取付孔
５２    スペーサ
７０    係止部
７１    抱持部材
７１ａ  抱持部
７１ｂ  基板
７１ｃ  取付孔
Ｗ１    ワッシャ
Ｗ２    ワッシャ
Ｂ      ボルト
Ｎ１    ナット
Ｎ２    ナット
【図１】
0003114219.tif 000003
【図２】
0003114219.tif 000004
【図３】
0003114219.tif 000005
【図４】
0003114219.tif 000006
【図５】
0003114219.tif 000007
【図６】
0003114219.tif 000008
【図７】
0003114219.tif 000009